(57)【要約】      （修正有）【課題】鹿等の野生の動物によってもツリープロテクタが持ち上げられることがなく、苗木の保護が十分なツリープロテクタを提供する。【解決手段】樹脂製シートの両側縁部に係合突部１２を千鳥状に設けるとともに、少なくとも１つの前記係合突部１２に対向する縁部に挿通用スリット１５を設ける一方、円環状保持リング２０の少なくとも上下端部のいずれか一方に、少なくとも１本の保持突部２１を軸心に平行に突設し、透明または半透明の樹脂製シートの両側縁部を相互に接続して筒形状としたツリープロテクタ本体１１と、ツリープロテクタ本体１１の外周面に嵌合可能な円環状保持リング２０とからなるツリープロテクタ１０である。【選択図】図８
2014064506.tif 000002
【特許請求の範囲】
【請求項１】
透明または半透明の樹脂製シートの両側縁部を相互に接続して筒形状としたツリープロテクタ本体と、前記ツリープロテクタ本体の外周面に嵌合可能な円環状保持リングとからなるツリープロテクタであって、
前記樹脂製シートの両側縁部に係合突部を千鳥状に設けるとともに、少なくとも１つの前記係合突部に対向する縁部に挿通用スリットを設ける一方、前記円環状保持リングの少なくとも上下端部のいずれか一方に、少なくとも１本の保持突部を軸心に平行に突設し、
前記係合突部を内側に位置するように組み付けて筒形状とした前記ツリープロテクタ本体に前記円環状保持リングを嵌合するとともに、前記円環状保持リングを回動させることにより、前記保持突部を前記挿通用スリットの内面縁部に係合したことを特徴とするツリープロテクタ。
【請求項２】
前記挿通用スリットの開口部に、ガイド用切り欠き部を設けたことを特徴とする請求項１に記載のツリープロテクタ。
【請求項３】
前記挿通用スリットと前記ガイド用切り欠き部とで、一対の係止爪部を形成したことを特徴とする請求項２に記載のツリープロテクタ。
【請求項４】
前記挿通用スリットと対向する位置に設けられた係合突部の先端縁部に、補助スリットを前記挿通用スリットと同一直線状に設けたことを特徴とする請求項２または３に記載のツリープロテクタ。
【請求項５】
前記補助スリットの開口部に、ガイド用切り欠き部を設けたことを特徴とする請求項４に記載のツリープロテクタ。
【請求項６】
前記補助スリットと前記ガイド用切り欠き部とで、一対の係止爪部を形成したことを特徴とする請求項５に記載のツリープロテクタ。
【請求項７】
請求項１ないし６のいずれか１項に記載のツリープロテクタの両側に支持棒を立設するとともに、前記円環状保持リングと前記支持棒とを連結紐で連結して抜け止めしたことを特徴とするツリープロテクタの支持構造。
【請求項８】
前記支持棒の外周面に、位置決め突起を所定のピッチで突設したことを特徴とする請求項７に記載のツリープロテクタの支持構造。
【発明の詳細な説明】
【技術分野】
【０００１】
本発明は、苗木および林地植栽木の育成時に、成長を促進するとともに、鹿、兎、ネズミ等の獣害を防止するため、苗木に被せて使用するツリープロテクタに関する。
【背景技術】
【０００２】
従来、ツリープロテクタとしては、例えば、透明または半透明の樹脂シートからなる筒状のツリープロテクタにおいて、外周面の下端縁から所定間隔をもった領域に、複数の通気孔を設けたことを特徴とするツリープロテクタがある（特許文献１参照）。
【０００３】
そして、特許文献１の図１に示すように、前記ツリープロテクタ１は、山の傾斜面に植林した檜の苗木１０に上方から被せることにより、苗木１０の外周を包囲する。ついで、前記ツリープロテクタ１に隣接させて添え木１１を地面に差し込み、周知の樹脂製結束バンド１２によって、前記添え木１１とツリープロテクタ１とを結束し、固定していた。
【先行技術文献】
【特許文献】
【０００４】
【特許文献１】特開２００１−２３１３８４号公報
【発明の概要】
【発明が解決しようとする課題】
【０００５】
しかしながら、前記ツリープロテクタ１は、前記樹脂製結束バンド１２を単に嵌合しているにすぎない。このため、例えば、前記ツリープロテクタ１の下端縁部に鹿が角を差し込んで前記ツリープロテクタ１だけを持ち上げ、前記ツリープロテクタ１の下端縁部と地面との間に生じたスペースから苗木を食べることにより、枯らしてしまうという問題点がある。
本発明は前記問題点に鑑み、鹿等の野生の動物によってもツリープロテクタが持ち上げられることがなく、苗木の保護が十分なツリープロテクタを提供することを課題とする。
【課題を解決するための手段】
【０００６】
本発明に係るツリープロテクタは、前記課題を解決すべく、透明または半透明の樹脂製シートの両側縁部を相互に接続して筒形状としたツリープロテクタ本体と、前記ツリープロテクタ本体の外周面に嵌合可能な円環状保持リングとからなるツリープロテクタであって、前記樹脂製シートの両側縁部に係合突部を千鳥状に設けるとともに、少なくとも１つの前記係合突部に対向する縁部に挿通用スリットを設ける一方、前記円環状保持リングの少なくとも上下端部のいずれか一方に、少なくとも１本の保持突部を軸心に平行に突設し、前記係合突部を内側に位置するように組み付けて筒形状とした前記ツリープロテクタ本体に前記円環状保持リングを嵌合するとともに、前記円環状保持リングを回動させることにより、前記保持突部を前記挿通用スリットの内面縁部に係合した構成としてある。
【発明の効果】
【０００７】
本発明によれば、円環状保持リングの保持突部を挿通用スリットの内面縁部に係合することにより、ツリープロテクタ本体と円環状保持リングとが連結一体化され、円環状保持リングからツリープロテクタ本体が抜け出ないツリープロテクタが得られる。
【０００８】
本発明の実施形態としては、前記挿通用スリットの開口部に、ガイド用切り欠き部を設けておいてもよい。
本実施形態によれば、円環状保持リングの取り付けが容易となり、作業性の高いツリープロテクタが得られる。
【０００９】
また、本発明の他の実施形態としては、前記挿通用スリットと前記ガイド用切り欠き部とで、一対の係止爪部を形成してもよい。
本実施形態によれば、前記係止爪部が円環状保持リングの保持突部に係止することにより、前記円環状保持リングをより一層確実に抜け止めでき、信頼性が向上する。
【００１０】
さらに、本発明の別の実施形態としては、前記挿通用スリットと対向する位置に設けられた係合突部の先端縁部に、補助スリットを前記挿通用スリットと同一直線状に設けておいてもよい。
本実施形態によれば、円環状保持リングを回動して前記挿通用スリットに前記保持突部を係合した後、前記円環状保持リングが逆方向に回動しても、前記円環状保持リングの保持突部が前記補助スリットの端部に係止し、円環状保持リングの抜け止めをより一層確実にできる。
【００１１】
そして、本発明の異なる実施形態としては、前記補助スリットの開口部に、ガイド用切り欠き部を設けておいてもよい。
本実施形態によれば、円環状保持リングが取り付け方向と逆方向に回動しても、前記保持突部が前記ガイド用切り欠き部を介して補助スリットに係合しやすくなり、前記保持突部をより一層確実に抜け止めできる。
【００１２】
本発明の新たな実施形態としては、前記補助スリットと前記ガイド用切り欠き部とで、一対の係止爪部を形成してもよい。
本実施形態によれば、前記係止爪部が、前記補助スリットに係合した円環状保持リングの保持突部の逆戻りを防止し、円環状保持リングからツリープロテクタ本体が脱落することを確実に防止できる。
【００１３】
本発明に係るツリープロテクタの支持構造としては、前述のツリープロテクタの両側に支持棒を立設するとともに、前記円環状保持リングと前記支持棒とを締結紐で連結して抜け止めした構成としてもよい。
【００１４】
本発明によれば、円環状保持リングおよび締結紐を介して支持棒にツリープロテクタ本体を確実に抜け止めできるツリープロテクタの支持構造が得られる。
【００１５】
本発明の実施形態としては、前記支持棒の外周面に、位置決め突起を所定のピッチで突設しておいてもよい。
本実施形態によれば、締結紐が支持棒の外周面に係止しやすくなり、ツリープロテクタ全体を持ち上げにくくなるので、獣害を確実に防止できるという効果がある。
【図面の簡単な説明】
【００１６】
【図１】本発明に係るツリープロテクタの第１実施形態を示す斜視図である。
【図２】図１で図示したツリープロテクタ本体を展開した状態を示す正面図である。
【図３】図３Ａ，３Ｂは図２で図示したツリープロテクタ本体の部分拡大図である。
【図４】本発明に係るツリープロテクタ本体を組み立てた状態を示す部分拡大図である。
【図５】図１で図示した円環状保持リングの斜視図である。
【図６】図６Ａ，６Ｂは本発明に係るツリープロテクタ本体に円環状保持リングを組み付ける方法を説明するための説明図である。
【図７】図７Ａ，７Ｂは図６に連続する円環状保持リングの組み付け方法を説明するための説明図である。
【図８】図８Ａは図７に連続する説明図であり、図８Ｂは１組の支持棒にツリープロテクタを組み付けた状態を示す正面図である。
【図９】本発明に係るツリープロテクタの第２実施形態を示す部分拡大図である。
【図１０】図９で図示したツリープロテクタ本体を組み立てた状態を示す部分拡大図である。
【図１１】本発明に係るツリープロテクタの第３実施形態を示す斜視図である。
【発明を実施するための形態】
【００１７】
本発明に係るツリープロテクタの実施形態を図１ないし図１１の添付図面に従って説明する。
第１実施形態に係るツリープロテクタ１０は、図１ないし図８に示すように、透明あるいは半透明の長尺な樹脂製シートからなる円筒形状のツリープロテクタ本体１１と、前記ツリープロテクタ本体１１に嵌合する円環状保持リング２０とで構成されている。
【００１８】
前記ツリープロテクタ本体１１には、例えば、厚さ０．２ｍｍないし１．５ｍｍ、好ましくは０．３ｍｍないし０．７ｍｍのＰＰ（ポリプロピレン）あるいはＰＥ（ポリエチレン）の樹脂製シートで構成されている。なお、前記ツリープロテクタ本体１１は、植物の生長に役立つ光の波長だけを透過する充填剤を添加しておいてもよい。
【００１９】
前記ツリープロテクタ本体１１を形成する樹脂製シートは、図２に示すように、その両側縁部に沿って係合突部１２を千鳥状に配置するとともに、前記係合突部１２の両側基部に係止用円弧状切り欠き部１３をそれぞれ設けてある。前記係止用円弧状切り欠き部１３の中心１３ａは、図３Ｂに示すように、前記ツリープロテクタ本体１１の外周縁部と係合突部１２の外周縁部との交点よりも奥側にずらして設けてある。組み付け作業に手間がかからないように係合しやすくするとともに、外れにくくするためである。
【００２０】
さらに、前記ツリープロテクタ本体１１は、図３Ａに示すように、対向する両側縁部に三角形のガイド用切り欠き部１４，１７を同一直線上にそれぞれ設け、一方のガイド用切り欠き部１４に連通する挿通用スリット１５を形成し、一対の係止爪部１６，１６を切り出してある。一方、残る他方の前記ガイド用切り欠き部１７に連通するように補助スリット１８を設け、一対の係止爪部１９，１９を切り出してある。
【００２１】
円環状保持リング２０は、図５に示すように、前記ツリープロテクタ本体１１に嵌合可能な内径を有するリング状であり、その上下縁部から同一直線上に保持突部２１を所定のピッチで突設してある。なお、前記保持突部２１は上下に同一直線上に突設せず、千鳥状に上下に突設してもよく、また、少なくとも１つの保持突部を突設してあればよい。
【００２２】
本実施形態では、ツリープロテクタ本体１１の係合突部１２，１２が相互に係合しても、ツリープロテクタ本体１１の内側に配置されている。このため、前記係合突部１２，１２が作業者の衣類等に引っ掛かることがなく、耐久性に優れ、寿命が長いという利点がある。
【００２３】
次に、本実施形態の現場における組立，使用方法について説明する。
まず、ツリープロテクタ本体１１を形成するための樹脂製シートを丸く巻いて折り癖を付ける。そして、前記ツリープロテクタ本体１１の両側縁部に設けた係合突部１２，１２を内側に配置するように相互に組み合わせ、前記係合突部１２の基部に設けた係止用円弧状切り欠き部１３を相互に係止する。これにより、前記係合突部１２が内側に配置された円筒形状のツリープロテクタ本体１１が得られる（図４）。
【００２４】
そして、前記ツリープロテクタ１０の上下両端から円環状保持リング２０をそれぞれ嵌合する。特に、図６Ａに示すように、下方側から嵌合した前記円環状保持リング２０を前記ツリープロテクタ本体１１の所定の位置までスライドさせて位置決めする（図６Ｂ）。そして、図７Ａに示すように、前記円環状保持リング２０を前記ツリープロテクタ本体１１の外周面に沿って回転させることにより、保持突部２１をガイド用切り欠き部１４から係止爪部１６，１６の下側を通過させる（図７Ｂ）。さらに、前記円環状保持リング２０を回転させることにより、前記保持突部２１を挿通用スリット１５の端部までスライドさせて係止する（図８Ａ）。このとき、他の保持突部２１が一対の係止突起１６，１６に係止することにより、前記ツリープロテクタ本体１１の縁部の浮き上がりを規制する（図８Ａ）。
【００２５】
さらに、前記円環状保持リングを前述と逆方向に回転させると、前記保持突部２１がガイド用切り欠き部１７を通過して補助スリット１８の内面端部に係止するとともに、係止爪部１９によって抜け止めされることにより、いわゆるロック状態となる。
【００２６】
次に、地面に植え付けた苗木（図示せず）に前記ツリープロテクタ１０を被せ、苗木の外周を包囲する。そして、前記ツリープロテクタ１０の両側に支持棒３０，３０を打ち込んだ後、円環状保持リング２０に挿通した締結紐４０を、前記支持棒３０に縛り付け、前記ツリープロテクタ１０を抜け止めすることにより、取付作業が完了する。
【００２７】
そして、鹿等の獣害を受けずに順調に時間が経過し、苗木が十分に成長した場合には、前記締結紐４０を切断し、苗木から前記ツリープロテクタ１０を取り外す。そして、円環状保持リング２０を抜き取り、係止用円弧状切り欠き部１３，１３の係合を外してツリープロテクタ本体１１を展開する。ついで、支持棒３０，３０を引き抜き、前記ツリープロテクタ１０と共に再利用する。
【００２８】
本実施形態によれば、円環状保持リング２０の保持突部２１に締結紐４０が係止するので、円環状保持リング２０の空回りを防止でき、結果として前記ツリープロテクタ本体１１が持ち上げられることを防止することにより、獣害を効果的に防止できるという利点がある。
【００２９】
第２実施形態は、図９および図１０に示すように、前述の第１実施形態とほぼ同様であり、異なる点は前記ツリープロタクタ本体１１の片側縁部だけに台形のガイド用切り欠き部１４およびこれに連通する挿通用スリット１５を設けた点である。他は前述の第１実施形態とほぼ同様であるので、説明を省略する。
【００３０】
本実施形態によれば、ツリープロテクタ本体１１の形状が簡単になり、製造作業，組立作業がより一層容易になるという利点がある。
【００３１】
第３実施形態は、図１１に示すように、前述の第１実施形態とほぼ同様である。異なる点は、前記係合突部１２の先端縁部に通気孔形成用切り欠き部１７ａを形成してある一方、前記通気孔形成用縁部１７ａに対向する縁部に通気孔形成用切り欠き部１４ａを形成した点である。そして、前記係合突部１２，１２を相互に組み合わせることにより、通気孔形成用切り欠き部１４ａ，１７ａで通気孔１１ａを備えたツリープロテクタ１０が得られる。
他は前述の第１実施形態とほぼ同様であるので、同一部分には同一番号を附して説明を省略する。
【００３２】
本実施形態によれば、前記通気孔１１ａを介して空気の流出入が図られることにより、苗木の成長が促進されるという利点がある。
【産業上の利用可能性】
【００３３】
本発明に係るツリープロテクタは、図示された前述の実施形態の形状に限らず、例えば、挿通スリット１５を上下２箇所に設けておいてもよい。また、円環状保持リングの保持突部は上下端部の少なくともいずれかに、少なくとも１本あればよい。
また、通気孔は前述の大きさ，位置に限らず、少なくとも１つあればよく、必要に応じて変更できることは勿論である。
【符号の説明】
【００３４】
１０：ツリープロテクタ
１１：ツリープロテクタ本体
１２：係合突部
１３：係止用円弧状切り欠き部
１４，１７：ガイド用切り欠き部
１５：挿通用スリット
１６，１９：係止爪部
１８：補助スリット
２０：円環状保持リング
２１：保持突部
３０：支持棒
４０：締結紐
【図１】
2014064506.tif 000003
【図２】
2014064506.tif 000004
【図３】
2014064506.tif 000005
【図４】
2014064506.tif 000006
【図５】
2014064506.tif 000007
【図６】
2014064506.tif 000008
【図７】
2014064506.tif 000009
【図８】
2014064506.tif 000010
【図９】
2014064506.tif 000011
【図１０】
2014064506.tif 000012
【図１１】
2014064506.tif 000013